【手続補正書】
【提出日】平成19年4月5日(2007.4.5)
【手続補正１】
【補正対象書類名】特許請求の範囲
【補正対象項目名】全文
【補正方法】変更
【補正の内容】
【特許請求の範囲】
【請求項１】
（ａ）式Ｉ：
Ｒf1−［−Ｑ−［ＳｉＹ3-xＲ1x］z］y（Ｉ）
（式中、Ｒf1は一官能性弗素化基または二官能性弗素化基を表し、
Ｑは独立して有機二官能性連結基または有機三官能性連結基を表し、
Ｒ1は独立してＣ1〜Ｃ4アルキル基を表し、
Ｙは独立してＣ1〜Ｃ4アルコキシ基または構造−Ｏ−Ａ−Ｒ3の親水性アルコキシ基を表し、但し、少なくとも１個の親水性アルコキシ基が弗素化アルコキシシラン中に存在することを条件とし、ここで、各Ａは独立して、ａ）式（ＣＨＲ2−ＣＨ2Ｏ）q（ｑは１〜４０の値を有する数値であり、Ｒ2は独立して水素またはメチルであり、Ｒ2の少なくとも７０％は水素である）を有するか、またはｂ）１個のＯＨおよび１個のヒドロキシル水素の除去によりポリオールまたはそのアルキルエーテル誘導体あるいはポリエーテル誘導体から誘導された二官能性親水性基を含み、ここで、Ｒ3は独立して水素または炭素原子数１〜４の低級アルキル基であり、
ｘは０または１であり、
ｙは１または２であり、
ｚは１または２である）
の少なくとも１種の自己乳化性弗素化アルコキシシランおよび
（ｂ）少なくとも１種の、水に完全に混和性である有機共溶媒と、少なくとも１種の弗素化界面活性剤の一方または両方
を含む均質混合物を含む希釈性非水性コンセントレート。
【請求項２】
以下のａ）〜ｊ）の少なくともいずれか
ａ）Ｒf1は、（ＣnＦ2n+1）−、（ＣnＦ2n+1Ｏ）−または（Ｘ’ＣnＦ2nＯ）−（式中、Ｘ’はＨ、ＣｌまたはＢｒであり、ｎは１〜６である）からなる群から選択された末端基ならびに−（ＣnＦ2n）−、−（ＣnＦ2nＯ）−、−（ＣＦ（Ｚ））−、−（ＣＦ（Ｚ）Ｏ）−、−（ＣＦ（Ｚ）ＣnＦ2nＯ）−、−（ＣnＦ2nＣＦ（Ｚ）Ｏ）−（式中、Ｚは弗素原子、パーフルオロアルキル基、酸素置換パーフルオロアルキル基、パーフルオロアルコキシ基または酸素置換パーフルオロアルコキシ基であり、ｎは１〜６である）およびそれらの組み合わせからなる群から選択された過弗素化反復単位を含む一官能性パーフルオロポリエーテルを表す、
ｂ）Ｒf1は、−（ＣnＦ2n）−、−（ＣnＦ2nＯ）−、−（ＣＦ（Ｚ））−、−（ＣＦ（Ｚ）Ｏ）−、−（ＣＦ（Ｚ）ＣnＦ2nＯ）−、−（ＣnＦ2nＣＦ（Ｚ）Ｏ）−（式中、Ｚは弗素原子、パーフルオロアルキル基、酸素置換パーフルオロアルキル基、パーフルオロアルコシ基または酸素置換パーフルオロアルコキシ基であり、ｎは１〜６である）およびそれらの組み合わせからなる群から選択された過弗素化反復単位を含む二官能性パーフルオロポリエーテルを表す、
ｃ）Ｒf1は、Ｃ3Ｆ7Ｏ（ＣＦ（ＣＦ3）ＣＦ2Ｏ）pＣＦ（ＣＦ3）−およびＣＦ3Ｏ（Ｃ2Ｆ4Ｏ）pＣＦ2−（式中、ｐに関する平均値は４〜５０である）からなる群から選択された一官能性パーフルオロポリエーテルを表す、
ｄ）Ｒf1は、−ＣＦ2Ｏ（ＣＦ2Ｏ）m（Ｃ2Ｆ4Ｏ）pＣＦ2−および−ＣＦ（ＣＦ3）（ＯＣＦ2ＣＦ（ＣＦ3））mＯ（ＣnＦ2n）Ｏ（ＣＦ（ＣＦ3）ＣＦ2Ｏ）pＣＦ（ＣＦ3）−（式中、ｎは２〜４である）、−ＣＦ2Ｏ（Ｃ2Ｆ4Ｏ）pＣＦ2−および−（ＣＦ2）3Ｏ（Ｃ4Ｆ8Ｏ）p（ＣＦ2）3−（式中、ｍおよびｐに関する平均値は０〜５０であり、ただし、ｍとｐが同時に０でないことを条件とする）からなる群から選択された二官能性パーフルオロポリエーテルを表す、
ｅ）Ｒf1は、それぞれの式ＣnＦ2n+1−および−ＣnＦ2n−（式中、ｎは３〜２０である）の一官能性または二官能性のパーフルオロアルキル基またはパーフルオロアルキレン基である、
ｆ）Ｒf1は、−ＣＦ（ＣＦ3）（ＯＣＦ2ＣＦ（ＣＦ3））m（ＣnＦ2n）Ｏ（ＣＦ（ＣＦ3）（ＣＦ2Ｏ）pＣＦ（ＣＦ3）−（式中、ｍおよびｐに関する平均値は１〜２０であり、ｍ＋ｐ≦２０、ｎは２〜４である）である、
ｇ）Ｒf1は、−ＣＦ2Ｏ（ＣＦ2Ｏ）m（ＣＦ2ＣＦ2Ｏ）pＣＦ2−（式中、ｍ＋ｐの平均値は１６〜２４である）である、
ｈ）Ｒf1は、Ｃ3Ｆ7Ｏ（ＣＦ（ＣＦ3）ＣＦ2Ｏ）pＣＦ（ＣＦ3）−（式中、ｐの平均値は４〜１５である）である、
ｉ）Ｒf1は、ＣＦ3Ｏ（ＣＦ2ＣＦ2Ｏ）pＣＦ2−（式中、ｐの平均値＝５〜２０）である、または
ｊ）Ｒf1は、ＣＦ3ＣＦ2ＣＦ2Ｏ（ＣＦ2ＣＦ2ＣＦ2Ｏ）n−（式中、ｎavg＝１〜２０）である、請求項１に記載の希釈性非水性コンセントレート。
【請求項３】
前記少なくとも１種の弗素化アルコキシシランは［ＣＨ3Ｏ（ＣＨ2ＣＨ2Ｏ）3］3Ｓｉ（ＣＨ2）3ＮＨＣＯＣＦ2Ｏ（ＣＦ2Ｏ）m（Ｃ2Ｆ4Ｏ）nＣＦ2ＣＯＮＨ（ＣＨ2）3Ｓｉ［（ＯＣＨ2ＣＨ2）3ＯＣＨ3］3（式中、ｍの平均値は１０〜１２であり、ｎの平均値は１０〜１２である）を含む、請求項１に記載の希釈性非水性コンセントレート。
【請求項４】
以下のａ）〜ｄ）の少なくともいずれか
ａ）前記少なくとも１種の弗素化界面活性剤はＣ4Ｆ9ＳＯ2Ｎ（ＣＨ3）（Ｃ2Ｈ4Ｏ）nＣＨ3（式中、ｎavg＝７）を含む、
ｂ）前記少なくとも１種の弗素化界面活性剤はＣ3Ｆ7Ｏ（ＣＦ（ＣＦ3）ＣＦ2Ｏ）nＣＦ（ＣＦ3）ＣＯ2-ＮＨ4+（式中、ｎavg＝１３）を含む、
ｃ）前記少なくとも１種の弗素化界面活性剤はポリマー弗素化界面活性剤である、または
ｄ）前記少なくとも１種の弗素化界面活性剤はランダムコポリマー弗素化界面活性剤である、請求項１に記載の希釈性非水性コンセントレート。
【請求項５】
ａ．水、または、水と少なくとも１種の、水に完全に混和性である有機共溶媒を含む水性溶媒混合物を含む希釈媒体ならびに
ｂ．
ｉ．式Ｉ：
Ｒf1−［−Ｑ−［ＳｉＹ3-xＲ1x］z］y（Ｉ）
（式中、Ｒf1は、−（ＣnＦ2n）−、−（ＣnＦ2nＯ）−、−（ＣＦ（Ｚ））−、−（ＣＦ（Ｚ）Ｏ）−、−（ＣＦ（Ｚ）ＣnＦ2nＯ）−、−（ＣnＦ2nＣＦ（Ｚ）Ｏ）−（式中、Ｚは弗素原子、パーフルオロアルキル基、酸素置換パーフルオロアルキル基、パーフルオロアルコキシ基および酸素置換パーフルオロアルコキシ基であり、ｎは１〜６である）およびそれらの組み合わせからなる群から選択された過弗素化反復単位を含む一官能性または二官能性のパーフルオロポリエーテルを表し、
Ｑは独立して有機二官能性連結基または有機三官能性連結基を表し、
Ｒ1は独立してＣ1〜Ｃ4アルキル基を表し、
Ｙは独立してＣ1〜Ｃ4アルコキシ基または構造−Ｏ−Ａ−Ｒ3の親水性アルコキシ基を表し、但し、少なくとも１個の親水性アルコキシ基が弗素化アルコキシシラン中に存在することを条件とし、ここで、各Ａは独立して、ａ）式（ＣＨＲ2−ＣＨ2Ｏ）q（ｑは１〜４０の値を有する数値であり、Ｒ2は独立して水素またはメチルであり、Ｒ2の少なくとも７０％は水素である）を有するか、または（ｂ）１個のＯＨおよび１個のヒドロキシル水素の除去によりポリオールまたはそのアルキルエーテル誘導体あるいはポリエーテル誘導体から誘導された二官能性親水性基を含み、ここで、Ｒ3は独立して水素または炭素原子数１〜４の低級アルキル基であり、
ｘは０または１であり、
ｙは１または２であり、
ｚは１または２である）
の少なくとも１種の自己乳化性弗素化アルコキシシランおよび
ｉｉ．少なくとも１種の、水に完全に混和性である有機共溶媒と、少なくとも１種の弗素化界面活性剤の一方または両方
を含む均質混合物を含む希釈性非水性コンセントレート
を含む水性希釈液。
【請求項６】
基材を処理する方法であって、請求項５に記載の水性希釈液を前記基材に被着させる工程および前記水性希釈液を硬化させる工程を含む方法。
【請求項７】
ａ．基材および
ｂ．請求項５に記載の水性希釈液を前記基材上に被着させ、前記水性希釈液を硬化させることにより得られる前記基材上の被膜
を含む物品。